(57)【特許請求の範囲】
【請求項１】
片手で保持可能な大きさの矩形の板体である一対の鏡面部が設けられ、前記一対の鏡面部の間には前記鏡面部とほぼ同じ大きさの矩形である複数の連結板が一列に並んで設けられ、前記各連結板と前記鏡面部の間及び前記各連結板どうしの間は、軸部材を介して回転可能に連結され、複数の前記軸部材は互いに略平行であり、複数の前記連結板のうちの一つは、１本の対角線で分割されて二つの直角三角形が組み合わされて形成され、直角三角形の斜辺どうしが隣接し、斜辺どうしの間は、斜辺軸部材を介して回転可能に連結され、前記斜辺軸部材は、前記各連結板どうしの間及び前記各連結板と前記鏡面部の間に設けられた複数の前記軸部材に対して、交差する方向に位置し、前記鏡面部と前記連結板が一列に並べられた連接方向に対して捻じる方向に回転することを特徴する手鏡。
【請求項２】
前記各連結板どうしの間を連結する前記軸部材と前記斜辺軸部材は、軸周りに任意の角度に回転し、前記連結板と前記鏡面部の間を連結する前記軸部材は、軸周りに一方向の角度に制限があり前記連結板と前記鏡面板は所定の角度で係止される請求項１記載の手鏡。
【発明の詳細な説明】
【技術分野】
【０００１】
この発明は、任意の角度から自分の外観を見ることができる手鏡に関する。
【背景技術】
【０００２】
従来、手で保持して任意の角度で自分の外観を見る手鏡がある。自分の横顔や頭の後側を見るために、一対の鏡面を有し、一方の鏡面で自分の横側や後側を映し、他方の鏡面でこの映した画像を更に映して見る手鏡がある。
【０００３】
例えば、特許文献１に開示された伸縮曲自在二面鏡は、一対の鏡面部と、前記一対の鏡面部を連結する伸縮曲自在具が設けられている。伸縮曲自在具は、球を両脇に備えた軸と、球自在回し支持袋具を両脇に備えた軸で連鎖したものである。この伸縮曲自在二面鏡によれば、一対の鏡面部を前記伸縮曲自在具で繋ぎ合わせ、一対の鏡面部の曲がり角度と互いの距離等を自在に調整でき、合わせ鏡として使用することができる。
【０００４】
特許文献２に開示されている携帯型美容器具は、一対の鏡面部と、前記一対の鏡面部を連結する保持部が設けられている。保持部は、略平面状の形状を成し、前記鏡面部との間に蝶番が設けられている。鏡面部または保持部には、照明装置がもうけられている。この携帯型美容器具によれば、見たい場所を照明装置で明るくすることができ、耳の掃除等を安全に行うことができる。
【先行技術文献】
【特許文献】
【０００５】
【特許文献１】特開２０００−１９７５４７号公報
【特許文献２】特開２００９−２１９８４１号公報
【発明の概要】
【発明が解決しようとする課題】
【０００６】
上記特許文献１の場合、伸縮自在具がコンパクトに折り畳むように考えられておらず、使用していないときにかさばり不便なものである。また、照明装置は付いていないため、耳の中等を見るときは暗くてよく見えなかった。特許文献２の場合、複数個設けられている蝶番の軸が互いに平行に設けられているためコンパクトに折り畳むことはできるが、合せ鏡として使用する時に自由に角度を変えることができず、見たい角度に合わせることが難しいという問題がある。
【０００７】
この発明は、上記背景技術の問題点に鑑みてなされたものであり、自分の横や後を確実に且つ容易に見ることができる手鏡を提供することを目的とする。
【課題を解決するための手段】
【０００８】
本発明は、片手で保持可能な大きさの矩形の板体である一対の鏡面部が設けられ、前記一対の鏡面部の間には前記鏡面部とほぼ同じ大きさの矩形である複数の連結板が一列に並んで設けられ、前記各連結板と前記鏡面部の間及び前記各連結板どうしの間は、軸部材を介して回転可能に連結され、複数の前記軸部材は互いに略平行であり、複数の前記連結板のうちの一つは、１本の対角線で分割されて二つの直角三角形が組み合わされて形成され、直角三角形の斜辺どうしが隣接し、斜辺どうしの間は、斜辺軸部材を介して回転可能に連結され、前記斜辺軸部材は、前記各連結板どうしの間及び前記各連結板と前記鏡面部の間に設けられた複数の前記軸部材に対して、交差する方向に位置し、前記鏡面部と前記連結板が一列に並べられた連接方向に対して捻じる方向に回転することができる手鏡である。
【０００９】
また、前記各連結板どうしの間を連結する前記軸部材と前記斜辺軸部材は、軸周りに任意の角度に回転し、前記連結板と前記鏡面部の間を連結する前記軸部材は、軸周りに一方向の角度に制限があり前記連結板と前記鏡面板は所定の角度で係止される。
【００１０】
また、前記手鏡には、耳の中等を照らす照明装置が設けられていてもよい。
【００１１】
前記照明装置は、前記鏡面部とは別体に設けられ、円錐形に形成されたロート部と、前記ロート部の先端に設けられた円筒状の差込部と、前記ロート部の内周面に取り付けられ前記差込部付近を照らすライトと、前記ロート部の開口縁部に設けられ開口縁部に対して平行に側方へ突出する板部と、前記板部の先端に前記ロート部の突出方向に対して平行に延出する支持部と、前記支持部に摺動可能に取り付けられ任意の位置で係止する当接部材が設けられていてもよい。
【００１２】
また、前記照明装置は、透明な合成樹脂で作られている。
【発明の効果】
【００１３】
本発明の手鏡は、自分の顔の横や後を任意の角度から確実に見ることができ、例えばまつげの角度の具合等を任意の角度で確認することができる。しかも、使用していないときは、コンパクトに折り畳むことができるものである。
【図面の簡単な説明】
【００１４】
【図１】この発明の一実施形態の手鏡の正面図である。
【図２】この実施形態の手鏡を置いて使用する状態を示す斜視図である。
【図３】この実施形態の手鏡を置いて使用する状態を示す斜視図である。
【図４】この実施形態の手鏡の使用していない状態を示す斜視図である。
【図５】この実施形態の手鏡を保持して使用する状態を示す斜視図である。
【図６】この実施形態の手鏡の照明装置の斜視図である。
【図７】この実施形態の手鏡の照明装置の使用状態を示す斜視図である。
【発明を実施するための形態】
【００１５】
以下、この発明の実施形態について図面に基づいて説明する。図１〜図７はこの発明の一実施形態を示すもので、この実施形態の手鏡１０は、一対の鏡面部１２，１３が設けられている。鏡面部１２，１３は、ほぼ正方形の板体１４の一方の側面に、板体１４よりも少し小さい鏡１６が取り付けられている。
【００１６】
鏡面部１２，１３の間には、連結板１８，２０，２２，２４が連接して設けられている。鏡面部１２の板体１４の一方の辺１４ａには、連結板１８が連接して設けられている。連結板１８は、鏡面部１２の辺１４ａと同じ長さの隣辺１８ａを有する直角二等辺三角形であり、鏡面部１２の辺１４ａに隣辺１８ａが隣接している。連結板１８の斜辺１８ｂには、連結板２０が連接して設けられている。連結板２０は、連結板１８と同じ形状であり、連結板１８の斜辺１８ｂに、斜辺１８ｂと同じ長さの斜辺２０ｂが連接し、連結板１８と連結板２０が一つの正方形のように組み合わされている。連結板２０の、鏡面部１２から遠い隣辺２０ａには、連結板２２が連接して設けられている。連結板２２も正方形に形成され、連接方向の幅方向及び連接方向が鏡面部１２の板体１４とほぼ同じ長さに形成されている。連結板２２の、連結板２０と反対側の辺２２ａには、連結板２２と同じ形状の連結板２４が、順に連接して設けられている。連結板２４の、連結板２２と反対側の辺２４ａには、鏡面部１２と同じ形状の鏡面部１３が連接して設けられている。鏡面部１２，１３は、鏡１６が互いに同じ方向に面している。
【００１７】
鏡面部１２は、連結板１８との境界に軸部材３０を介して取り付けられている。鏡面部１３は、連結板２４との境界に軸部材３２を介して取り付けられている。軸部材３０，３２は、鏡面部１２，１３の鏡１６側の面が連結板１８，２４に倒れる方向には制限がなく、互いに平行に重なり、鏡１６と反対の面が連結板１８，２４に倒れる方向には制限があり、図２に示すように、所定角度で回転が止められ、連結板１８，２４が机などにほぼ水平に置かれたとき、鏡面部１２，１３の自重により鏡１６側の面が斜め上方を向く所定角度に保たれる。連結板１８，２０の間は斜辺軸部材３３を介して取り付けられ、連結板２０，２２，２４の間は、それぞれ軸部材３４を介して取り付けられ、斜辺軸部材３３と各軸部材３４は回転に制限がなく、３６０°回転可能である。
【００１８】
次に、手鏡１０の使用方法について説明する。手鏡１０は、図１に示す面を表面とし、反対側を裏面として説明する。手鏡１０を机などに置いて使用する場合、図２に示すように、連結板２２の裏面を机に置き、その上に連結板２４を折り返して重ね、鏡面部１３を軸部材３２で所定角度まで折り返し、鏡１６側の面が斜め上方を向く所定角度に保たれる。連結板２０は、連結板２２と面一に鏡面部１３の鏡１６側に延出し、連結板１８は斜辺軸部材３３で折り返されて連結板２０の裏面に重ねられ、鏡面部１２は軸部材３０で折り返されて連結板１８の表面に重ねられ、鏡１６が半分連結板２０，１８に覆われ、半分が露出して見える。図２に示す状態で使用する時は、顔を鏡面部１２，１３の両方に写して見ることができる。
【００１９】
また、手鏡１０は、図３に示す状態で机に置いて使用してもよい。連結板２２，２４、鏡面部１３の位置は図２と同じである。連結板２０と連結板１８は面一で机の上に裏面が載置され、軸部材３０で折り返されて鏡面部１２の表面が連結板１８，２０の表面に重ねられている。図２に示す状態で使用する時、鏡面部１２の鏡１６が一部露出しているので、下方も見ることができる。
【００２０】
手鏡１０を使用しない場合は、図４に示すように、図３の状態から鏡面部１３を鏡面部１２の方へ倒して重ねる。これにより、平面的に折り畳まれて薄くコンパクトになる。
【００２１】
次に手鏡１０を手で保持する使用方法について説明する。図５に示すように、使用者３６が、一方の手で鏡面部１２を、他方の手で鏡面部１３を保持し、鏡面部１２を顔の前に保持し、鏡面部１３を顔の横や後の見たいところに保持し、鏡面部１３の鏡１６に映る画像が鏡面部１２の鏡１６に写るように角度を調整し、鏡面部１２の鏡１６を見て、自分の顔の横や後を見ることができる。このとき、連結板１８，２０の斜辺１８ｂ，２０ｂ間の斜辺軸部材３３により、鏡面部１２，１３は、連結板２２，２４の連接方向に対して交差する方向に、任意の角度揺動させることができる。また、鏡面部１２，１３は、いずれを顔の前に位置させてもよい。
【００２２】
次に、手鏡１０と別体に設けられた照明装置３８について、図６に基づいて説明する。照明装置３８は、例えば耳の中を照らすものであり、透明な合成樹脂で作られている。照明装置３８は、円錐形に形成されたロート部４０が設けられ、ロート部４０の先端には円筒状の差込部４２が設けられている。ロート部４０の内周面には、差込部４２付近を照らすライト４４が取り付けられている。ライト４４は図示しない電池と点灯用スイッチが設けられている。ロート部４０の開口縁部４０ａには、開口縁部４０ａに対して平行に側方へ突出する板部４６が設けられ、板部４６の先端には、ロート部４０の突出方向に対して平行に延出する支持部４８が設けられている。支持部４８は、長手方向に沿ってリブ５０が形成され、リブ５０の両側面には、複数個の係止突起５２がリブ５０の長手方向に沿って等間隔に２列設けられている。支持部４８には、当接部材５４が摺動可能に取り付けられている。当接部材５４は、支持部４８を摺動可能に囲む溝部５６が設けられ、溝部５６の内周面には、支持部４８の係止突起５２に係止されるつめ部５８が一対設けられている。つめ部５８は弾性変形可能であり、一定以上の力で当接部材５４を動かすと弾性変形して係止突起５２を乗り越えてクリック感を生じて次の係止突起５２に係止される。当接部材５４の、支持部４８から離れた先端には、ブロック状の当接部６０が設けられている。
【００２３】
次ぎに、照明装置３８の使用方法について、図７に基づいて説明する。照明装置３８のライト４４を点けて、ロート部４０を耳に当てて差込部４２を耳の穴に入れる。当接部材５４を耳の下に向けし、当接部６０が耳の下の皮膚に当接させて照明装置３８をとりつける。このとき、照明装置３８が安定するように当接部材５４を支持部４８に対してスライドさせてつめ部５８を任意の位置の係止突起５２に係止させて、長さを調節する。耳の中は、ライト４４で照らされて明るくなる。そして、使用者３６が、一方の手で鏡面部１２を、他方の手で鏡面部１３を保持し、鏡面部１３を顔の前に保持し、鏡面部１２を耳の横に保持し、鏡面部１２の鏡１６に写る耳が鏡面部１３に映るように角度を調整し、鏡面部１３の鏡１６を見て、自分の耳を見る。
【００２４】
この実施形態の手鏡１０によれば、自分の顔の横や後を任意の角度から確実に見ることができ、例えばまつげの角度の具合等を任意の角度で確認することができる。特に、斜辺軸部材３３は、そのほかの複数の軸部材３４に対して軸周りが異なる方向に設けられているため、鏡面部１２，１３の互いの角度を自由に変更することができ、操作しやすいものである。また、照明装置３８を使用して、耳の中を照らしてよく見ることができ、耳アカの掃除等を確実に行うことができる。使用していないときは、コンパクトに折り畳むことができる。
【００２５】
なお、この発明の手鏡は、上記実施形態に限定されず、各部材の形状や数等適宜変更可能である。連結板の数や形状、連接する順番等も適宜変更可能である。照明装置は、ロート状の形状以外でもよく、確実に耳に保持されて耳の中を照らすものであればよい。手鏡の使用状態は上記以外でもよく、折り曲げる軸部材の位置を変えたり、逆に折ったりしていろいろな使用方法をすることができる。
【符号の説明】
【００２６】
１０  手鏡
１２１３  鏡面部
１８，２０，２２，２４  連結板
３０，３２，３４  軸部材
３３  斜辺軸部材
３８  照明装置
４０  ロート部
４２  差込部
４４  ライト
４６  板部
４８  支持部
５２  係止突起
５４  当接部材
５８  つめ部
【図１】
0005971624.tif 000002
【図２】
0005971624.tif 000003
【図３】
0005971624.tif 000004
【図４】
0005971624.tif 000005
【図５】
0005971624.tif 000006
【図６】
0005971624.tif 000007
【図７】
0005971624.tif 000008